(57)【特許請求の範囲】
【請求項１】
把手と、この把手の先端に取り付けられたブラシ本体とを具備し、
前記把手は細長棒状で、第１の湾曲部と、この第１の湾曲部に連続し第１の湾曲部と反対向きの第２の湾曲部とを有し、
前記ブラシ本体は、２本の金属線材の間に毛材を挟み、金属線材を撚って心線を形成すると共に、毛材を心線の周りに螺旋状に配して成り、心線が前記把手の第２の湾曲部に連続し第２の湾曲部と反対向きの第３の湾曲部を有し、
ボトル肩部内面の洗浄のために、ボトルの軸線に対して傾斜してボトル内へ挿入したときに、第２の湾曲部がボトル口部に位置して把手の先端部を肩部側へ向け、前記第３の湾曲部がブラシ本体の毛材を肩部内面の傾斜に沿って接触させるように、前記第２の湾曲部と前記第３の湾曲部の相対位置が設定され、
ボトル胴部内面の洗浄のために、ボトルの軸線に対して傾斜してボトル内へ挿入したときに、第１の湾曲部がボトル口部に位置して把手の先端部をボトル胴部側へ向け、前記第３の湾曲部がブラシ本体の毛材をボトル胴部内面の沿って接触させ、かつボトル底部内面の洗浄のために、ボトルの軸線に対して傾斜してボトル内へ挿入したときに、第１の湾曲部がボトル口部に位置して把手の先端部をボトル底部へ向け、前記第３の湾曲部がブラシ本体の先端をボトル底部の周縁へ向け、先端の毛材をボトル底部内面の周縁へ接触させると共に、第３の湾曲部の膨出側の毛材をボトル底部内面の中央寄りの位置に接触させるように、前記第１の湾曲部と前記第３の湾曲部の相対位置が設定されていることを特徴とするボトル洗浄用ブラシ。
【請求項２】
前記把手は、金属製管材から成り、先端部に前記ブラシ本体の心線の基端部が挿入され、かしめ止めされていることを特徴とする請求項１に記載のボトル洗浄用ブラシ。
【請求項３】
前記把手は、金属製管材から成り、先端部に前記ブラシ本体の心線の基端部が着脱自在に挿入されていることを特徴とする請求項１に記載のボトル洗浄用ブラシ。
【発明の詳細な説明】
【０００１】
【発明の属する技術分野】
この発明は、例えば飲料等の容器として用いられるペットボトルの内部の洗浄に用られるボトル洗浄用のブラシに関するものである。
【０００２】
【従来の技術】
従来、ボトルの洗浄には、真っ直ぐな棒状の把手の先端にブラシを取り付けたものが知られている。
しかしながら、上記のような従来のボトル洗浄用ブラシでは、特にボトルの肩部内面や底部周縁の胴部との接合部位に毛材が届きにくく、効率的な洗浄ができない難点がある。
【０００３】
【発明が解決しようとする課題】
従って、本発明は、ボトルの肩部内面や底部周縁の胴部との接合部位に確実に毛材が届き、ボトル内面のあらゆる部位に十分な圧力で毛材を接触させて効率的にボトルを洗浄できるブラシを提供することを課題としている。
【０００４】
【課題を解決するための手段】
本発明においては、上記課題を解決するため把手２と、この把手２の先端に取り付けられたブラシ本体３とを具備させてボトル洗浄用ブラシ１を構成する。把手２は細長棒状とし、第１の湾曲部２ａと、これに連続し、かつこれと反対向きの第２の湾曲部２ｂとを具備させる。ブラシ本体３は、２本の金属線材の間に毛材４を挟み、金属線材を撚って心線５を形成すると共に、毛材４を心線５の周りに螺旋状に配して構成し、心線５には、把手２の第２の湾曲部２ｂに連続し、これと反対向きの第３の湾曲部５ａを具備させる。そして、ボトル８の肩部内面８ａの洗浄のために、ボトルの軸線に対して傾斜してボトル８内へブラシ１を挿入したときに、第２の湾曲部２ｂが口部８ｂに位置して把手２の先端部を肩部側へ向け、第３の湾曲部５ａがブラシ本体３の毛材４を肩部内面８ａの傾斜に沿って接触させるように、湾曲部２ｂ，５ａの相対位置を設定する。また、ボトルの胴部内面８ｃの洗浄のために、ボトルの軸線に対して傾斜してボトル内へブラシを挿入したときに、第１の湾曲部８ａが口部８ｂに位置して把手２の先端部をボトル胴部側へ向け、第３の湾曲部５ａがブラシ本体３の毛材４を胴部内面８ｃに沿って接触させ、かつボト８ルの底部内面８ｄの洗浄のために、ボトルの軸線に対して傾斜してボトル８内へブラシ１を挿入したときに、第１の湾曲部２ａが口部８ｂに位置して把手２の先端部を底部へ向け、第３の湾曲部５ａがブラシ本体３の先端を底部の周縁へ向け、先端の毛材４を底部内面８ｄの周縁へ接触させると共に、第３の湾曲部５ａの膨出側の毛材４を底部内面８ｄの中央寄りの位置に接触させるように、湾曲部２ａ，５ａの相対位置を設定した。
【０００５】
【発明の実施の形態】
図面を参照して本発明の実施の形態を説明する。図１はブラシの正面図、図２はブラシの側面図、図３はブラシの使用状態の説明図、図４はブラシの他の使用状態の説明図、図５はブラシのさらに他の使用状態の説明図である。
【０００６】
図において、ブラシ１は、把手２と、この把手２の先端に取り付けられたブラシ本体３とを具備している。
【０００７】
ステンレススチール等の金属製管材から成り、第１の湾曲部２ａと、この第１の湾曲部２ａに連続し、それと反対向きの第２の湾曲部２ｂとを有する。把手２は、洗浄作業時に実質的に撓まない強度を有する。
【０００８】
ブラシ本体３は、２本の金属線材の間に毛材４を挟み、金属線材を撚って心線５を形成すると共に、毛材４を心線５の周りに螺旋状に配して成る。ブラシ本体３の心線の５基端部は、把手２の先端部に挿入され、かしめ止めされている。心線の５基端部を把手２の先端部に着脱自在に挿入し、取り替え可能にすることもできる。心線５は、把手２の第２の湾曲部２ｂに連続し、それと反対向きの第３の湾曲部５ａを有する。
【０００９】
図３ないし図５について、ブラシ１を飲料用のペットボトル８の洗浄作業に使用する方法を説明する。図３は、ボトル８の肩部内面８ａの洗浄作業の状態を示す。この場合、ブラシ１をボトル８の軸線に対して傾斜させてボトル８内へ挿入し、第２の湾曲部２ｂを口部８ｂ付近に配置して把手２の先端部を肩部側へ向ける。こうすると、ブラシ本体３の心線５の湾曲部５ａが、毛材４を肩部内面８ａの傾斜に沿って接触させる。従って、このような状態で、ブラシ１を上下させあるいはボトル８に対してそれの軸線周りに回転させて、ボトル８の肩部内面８ａを洗浄する。
【００１０】
図４は、ボトル８の胴部内面８ｃの洗浄作業の状態を示す。この場合、ブラシ１をボトル８の軸線に対して傾斜させてボトル８内へ挿入し、第１の湾曲部２ａをボトル８の口部８ｂ付近に配置して把手２の先端部をボトル８の胴部側へ向ける。こうすると、ブラシ本体３の心線５の湾曲部５ａが、毛材４を胴部内面８ｃに沿って接触させる。従って、このような状態で、ブラシ１を上下させあるいはボトル８に対してそれの軸線周りに回転させて、ボトル８の胴部内面８ｃを洗浄する。
【００１１】
図５は、ボトル８の底部内面８ｄの洗浄作業の状態を示す。この場合、ブラシ１をボトル８の軸線に対してやや傾斜させてボトル８内へ挿入し、第１の湾曲部２ａの終端付近をボトル８の口部８ｂに配置し、把手２の先端部をボトル底部へ向ける。こうすると、ブラシ本体３の心線５の湾曲部５ａが、ブラシ本体３の先端を底部内面８ｄの周縁へ向け、先端の毛材４をボトル底部の周縁へ接触させると共に、湾曲部５ａの膨出側の毛材４をボトル底部内面８ｄの中央寄りの位置に接触させる。従って、このような状態で、ブラシ１をボトル８に対してそれの軸線周りに回転させて、ボトル８の底部内面８ｄを洗浄する。特にボトル８の底部が中央において内側に隆起している図示のようなペットボトル８の底部内面８ｄを洗浄する場合には、この実施例のブラシ１を用いることで、毛材４を底部内面８ｄの全面及びそれと胴部内面８ｃの最下部との接合部分に確実に接触させて効率的に洗浄作業を行うことができる。
【００１２】
ボトル内面の何れの部位を洗浄する場合にも、把手２及びブラシ本体３の心線５の湾曲部２ａ，２ｂ，５ａの相互作用により、把手２の基端部を握る作業者の手の力がブラシ本体３へ直接伝達される。従って、比較的小さな力で、ブラシ本体３の毛材４をボトル内面の各部に圧接させて、効率的に洗浄作業を行うことができる。
【００１３】
【発明の効果】
以上のように、本発明においては、把手２及びブラシ本体３の心線５の湾曲部２ａ，２ｂ，５ａの相互作用により、ブラシ本体３の毛材４をボトル内面の各部にくまなく圧接させ、かつ把手２の基端部を握る作業者の手の力がブラシ本体３へ直接伝達させて、比較的小さな力で効率的に洗浄作業を行うことができるという効果を有する。
【図面の簡単な説明】
【図１】ブラシの正面図である。
【図２】ブラシの側面図である。
【図３】ブラシの使用状態の説明図である。
【図４】ブラシの他の使用状態の説明図である。
【図５】ブラシのさらに他の使用状態の説明図である。
【符号の説明】
１    ブラシ
２    把手
２ａ  第１の湾曲部
２ｂ  第２の湾曲部
３    ブラシ本体
４    毛材
５    心線
，５ａ  第３の湾曲部
【図１】
0004272287.tif 000002
【図２】
0004272287.tif 000003
【図３】
0004272287.tif 000004
【図４】
0004272287.tif 000005
【図５】
0004272287.tif 000006